(57)【特許請求の範囲】
【請求項１】
複数の階調電圧信号の中から一の階調電圧信号を選択する液晶表示装置のドット反転駆動回路において：
入力されるデータ信号に応じて前記複数の階調電圧信号の中から所定の基準電圧レベルよりも低い階調電圧信号を選択するためのＮチャネルトランジスタのみで構成された第１のデコーダ領域，および前記データ信号に応じて前記複数の階調電圧信号の中から所定の基準電圧レベルよりも高い階調電圧信号を選択するためのＰチャネルトランジスタのみで構成された第２のデコーダ領域を有するドライバセルと；
前記第１のデコーダ領域において選択された階調電圧信号，または前記第２のデコーダ領域において選択された階調電圧信号のいずれか一方を選択信号に応じて選択することが可能な選択回路と；
を備え，
前記データ信号は，複数のビット信号からなり，前記第１のデコーダ領域および前記第２のデコーダ領域において，前記複数のビット信号のそれぞれについて，同一のビット信号に対応する一連の前記Ｎチャネルトランジスタと一連の前記Ｐチャネルトランジスタとが，前記同一のビット信号が伝送される方向に対して順に配置されていることを特徴とする液晶表示装置のドット反転駆動回路。
【請求項２】
前記Ｎチャネルトランジスタは，エンハンスメント形Ｎチャネルトランジスタとデプレション形Ｎチャネルトランジスタとを含み，
前記Ｐチャネルトランジスタは，エンハンスメント形Ｐチャネルトランジスタとデプレション形Ｐチャネルトランジスタとを含む
ことを特徴とする，請求項１に記載のドット反転駆動回路。
【発明の詳細な説明】
【技術分野】
【０００１】
本発明は，液晶表示装置の駆動回路にかかり，特にドット反転駆動回路に関する。
【背景技術】
【０００２】
液晶表示装置の駆動方式は，フレーム反転，ライン反転，ドット反転等が代表的であり，中でもライン反転およびドット反転は，クロストークをキャンセルする上で有効な駆動方式である。しかし，ドット反転は制御信号が複雑となってしまうため，現状では総合的に有利なライン反転駆動方式が主流となっている。
【０００３】
ところで，ドット反転駆動方式はライン反転駆動方式に近似しているため，ライン反転駆動方式で用いられるライン反転駆動回路構成を流用することが可能である。したがって，開発設計コスト，品質管理等の面から液晶表示装置の駆動回路としてライン反転駆動回路が中心的に開発され，ドット反転駆動方式については，ライン反転駆動回路が流用される場合が多かった。
【０００４】
ここで，ライン反転駆動回路１０１を図１３に示す。ライン反転駆動回路１０１は，液晶表示装置の画素数に対応した数のドライバセル１０３−１〜１０３−ｎから構成されている。そして，各ドライバセル１０３−１〜１０３−ｎは，入力されるデータＤＴ−１〜ＤＴ−ｎによって出力電圧ＯＵＴ−１〜ＯＵＴ−ｎを出力する機能を有している。なお，各ドライバセル１０３−１〜１０３−ｎは，相互に略同一の構成を有しており，以下，ドライバセル１０３−１を代表的に説明する。
【０００５】
ドライバセル１０３−１は，階調電圧選択回路（以下，「デコーダ」という。）１０５と，増幅回路（以下，「アンプ」という。）１０７とから構成されている。デコーダ１０５は，ラスタ周期毎にデータＤＴ−１に基づいて，入力される階調電圧Ｖ１〜Ｖｎのいずれかを選択し，デコーダ出力Ｄｅｃｏｕｔとして出力する機能を有している。なお，ここでは６４階調，すなわち階調電圧Ｖｎ＝Ｖ６４である場合に即して説明する。
【０００６】
次に，デコーダ１０５の構成について説明する。このデコーダ１０５は，Ｎチャネルトランジスタから構成されている領域（以下，「Ｎチャネルデコーダ領域」という。）１１１と，Ｐチャネルトランジスタから構成されている領域（以下，「Ｐチャネルデコーダ領域」という。）１１３とから構成されている。図１４に，これらＮチャネルデコーダ領域１１１とＰチャネルデコーダ領域１１３の詳細を示す。
【０００７】
Ｎチャネルデコーダ領域１１１には，複数のエンハンスメント（ｅｎｈａｎｃｅｍｅｎｔ）形Ｎチャネルトランジスタと複数のデプレション（ｄｅｐｌｅｔｉｏｎ）形Ｎチャネルトランジスタがマトリクス状に配置されている。そして，図１４における行方向については，左右に配置されたトランジスタ相互のドレインとソースが接続され，列方向については，上下に配置されたトランジスタ相互のゲートが接続されている。同様に，Ｐチャネルデコーダ領域１１３には複数のエンハンスメント形Ｐチャネルトランジスタと複数のデプレション形Ｐチャネルトランジスタがマトリクス状に配置されている。そして，行方向については，左右に配置されたトランジスタ相互のドレインとソースが接続され，列方向については，上下に配置されたトランジスタ相互のゲートが接続されている。
【０００８】
Ｎチャネルデコーダ領域１１１とＰチャネルデコーダ領域１１３においてマトリクス状に配置された複数のトランジスタの各行は階調電圧Ｖ１〜Ｖ６４に対応しており，各列はデータＤＴ−１における各ビット（相補）Ｄ０，／Ｄ０〜Ｄ７，／Ｄ７に対応している。なお，図１４における階調電圧Ｖｍは，階調電圧Ｖ１〜Ｖ６４の中の任意の階調電圧を示している。
【０００９】
そして，Ｎチャネルデコーダ領域１１１におけるエンハンスメント形Ｎチャネルトランジスタとデプレション形Ｎチャネルトランジスタは，データＤＴ−１の値の大小に従って階調電圧Ｖ１〜Ｖ６４のいずれかがデコーダ出力Ｄｅｃｏｕｔとして出力されるように配置されている。同様にＰチャネルデコーダ領域１１３におけるエンハンスメント形Ｐチャネルトランジスタとデプレション形Ｐチャネルトランジスタは，データＤＴ−１の値の大小に従って階調電圧Ｖ１〜Ｖ６４のいずれかがデコーダ出力Ｄｅｃｏｕｔとして出力されるように配置されている。
【００１０】
以上のように構成されたドライバセル１０３−１は，図１５に示すようにデータＤＴ−１のデータコード００〜ＦＦ（ＨＥＸ）に従って，階調電圧Ｖ１〜Ｖ６４を出力電圧ＯＵＴ−１として出力する。
【００１１】
ところで，液晶表示装置のタイプによっては，ドライバセル１０３−１におけるデータＤＴ−１と出力電圧ＯＵＴ−１との関係を逆転させなければならない必要がある。すなわち，データコード００に対して階調電圧Ｖ６４が選択され，データコードＦＦに対して階調電圧Ｖ１が選択されなければならない場合（図１５の実線）と，データコード００に対して階調電圧Ｖ１が選択され，データコードＦＦに対して階調電圧Ｖ６４が選択されなければならない場合（図１５の点線）とがある。
【００１２】
そして，例えばライン反転駆動回路１０１のデータＤＴ−１が５Ｖ仕様の場合，ドライバセル１０３−１における任意の階調電圧Ｖｍを０Ｖとすると，この階調電圧Ｖｍをデコーダ出力Ｄｅｃｏｕｔとして出力させるには，Ｎチャネルデコーダ領域１１１のみで可能であるが，例えば階調電圧Ｖｍを５Ｖとした場合，Ｎチャネルデコーダ領域１１１を構成するＮチャネルトランジスタがオンしなくなり，この階調電圧Ｖｍをデコーダ出力Ｄｅｃｏｕｔとして出力させることが不可能となる。このため，液晶表示装置のタイプによってデータコード００〜ＦＦと階調電圧Ｖ１〜Ｖ６４との相互関係を逆転させる必要のあるライン反転駆動方式において，各ドライバセル１０３−１〜１０３−ｎは，図１３，１４のように必ずＮチャネルデコーダ領域１１１とＰチャネルデコーダ領域１１３が兼ね備えられた構成とされている。
【００１３】
一方，従来のドット反転駆動回路は，上述のようにライン反転駆動回路１０１を利用した構成とされていた。ここで従来のドット反転駆動回路について図１６，１７を参照しつつ説明する。
【００１４】
従来のドット反転駆動回路は，液晶表示装置の画素数に対応した数のドライバセル１２１が備えられた構成を有しており，このドライバセル１２１は，図１６に示すデコーダ１２３を有している。そして，このデコーダ１２３は，２つのＮチャネルデコーダ領域１３１，１３３と２つのＰチャネルデコーダ領域１３５，１３７から構成されている。Ｎチャネルデコーダ領域１３１，Ｐチャネルデコーダ領域１３５には階調電圧Ｖ１〜Ｖ６４が入力され，Ｎチャネルデコーダ領域１３３，Ｐチャネルデコーダ領域１３７には階調電圧Ｖ６５〜Ｖ１２８が入力されている。
【００１５】
そして，ドット反転駆動回路におけるドライバセル１２１は，上述のライン反転駆動回路１０１におけるドライバセル１０３−１と異なり，データに対して２つの階調電圧が割当てられている。例えば，図１７の実線で示すようにデータＤＴのデータコード００によって階調電圧Ｖ１および階調電圧Ｖ１２８が選択され，また，データコードＦＦによって階調電圧Ｖ６４および階調電圧Ｖ６５が選択される。
【００１６】
そして，ドライバセル１２１においても，上述のライン反転駆動回路１０１の場合と同様に，液晶表示装置のタイプによって図１７の実線・点線に示す通りデータコード００〜ＦＦと階調電圧Ｖ１〜Ｖ６４，階調電圧Ｖ６５〜Ｖ１２８の関係を逆転させる必要がある。しかし，基準電圧Ｖｃを基準に下側の階調電圧Ｖ１〜Ｖ６４と上側の階調電圧Ｖ６５〜Ｖ１２８が逆転することはない。また，ドライバセル１２１の出力電圧ＯＵＴは，ラスタ周期毎に必ず基準電圧Ｖｃに対して下側の階調電圧Ｖ１〜Ｖ６４のいずれかの電圧と上側の階調電圧Ｖ６５〜Ｖ１２８のいずれかの電圧をラスタ周期毎に交互に出力する。例えば，データコード００によって選択された階調電圧Ｖ１および階調電圧Ｖ１２８を交互に出力電圧ＯＵＴとして出力する。さらに，液晶表示装置において隣接する画素に対応する２つのドライバセルにおいて一方が上側の階調電圧Ｖ６５〜Ｖ１２８のいずれかを出力している時，他方は下側の階調電圧Ｖ１〜Ｖ６４のいずれかを出力するようになっている。
【発明の開示】
【発明が解決しようとする課題】
【００１７】
以上のように，ドット反転駆動方式は，ライン反転駆動方式に対して共通する点が多い反面，特有の機能をも有している。しかしながら，冒頭に述べたように，従来はライン反転駆動回路をドット反転駆動方式に対して用いられる場合が多く，そのためにドット反転駆動方式における液晶表示装置の駆動回路は，必要以上の規模のものとなっていた。
【００１８】
本発明は，従来のドット反転駆動回路が有する上記のような問題点に鑑みてなされたものであり，本発明の目的は，ドット反転駆動方式に専用的に用いることが可能な新規かつ改良されたドット反転駆動回路を提供することによってライン反転駆動回路を流用した場合に対して駆動回路の規模を縮小化するとともに，ドット反転駆動方式の最適化を図ることにある。
【課題を解決するための手段】
【００１９】
上記課題を解決するために，複数の階調電圧信号の中から一の階調電圧信号を選択する液晶表示装置のドット反転駆動回路が提供される。そして，この液晶表示装置のドット反転駆動回路は，入力されるデータ信号に応じて上記複数の階調電圧信号の中から所定の基準電圧レベルよりも低い階調電圧信号を選択するためのＮチャネルトランジスタのみで構成された第１のデコーダ領域と，上記データ信号に応じて上記複数の階調電圧信号の中から所定の基準電圧レベルよりも高い階調電圧信号を選択するためのＰチャネルトランジスタのみで構成された第２のデコーダ領域とから成る複数のドライバセルを備え，上記データ信号は，複数のビット信号からなり，上記第１のデコーダ領域および上記第２のデコーダ領域において，上記複数のビット信号のそれぞれについて，同一のビット信号に対応する一連の上記Ｎチャネルトランジスタと一連の上記Ｐチャネルトランジスタとが，上記同一のビット信号が伝送される方向に対して順に配置されていることを特徴としている。
かかる構成によれば，複数の階調電圧信号は，その電圧範囲に応じて，Ｎチャネルトランジスタのみで構成された第１のデコーダ領域，またはＰチャネルトランジスタのみで構成された第２のデコーダ領域に割当てられる。このため，ＮチャネルトランジスタおよびＰチャネルトランジスタから成るデコーダによって全ての階調電圧信号の中から一の階調電圧信号を選択していた従来に比べて，ドライバセルの回路規模は半減される。したがって，従来のドット反転駆動回路に対して機能を維持しつつ回路規模の低減が図られることとなる。
【００２０】
また，複数の階調電圧信号の中から一の階調電圧信号を選択する液晶表示装置のドット反転駆動回路において，上記複数の階調電圧信号の中から所定の基準電圧レベルよりも低い階調電圧信号を選択するためのＮチャネルトランジスタのみで構成された第１のデコーダ領域を有する一のドライバセルと，上記複数の階調電圧信号の中から所定の基準電圧レベルよりも高い階調電圧信号を選択するためのＰチャネルトランジスタのみで構成された第２のデコーダ領域を有する他のドライバセルと，上記一のドライバセルにおいて選択された階調電圧信号または上記他のドライバセルにおいて選択された階調電圧信号のいずれか一方を選択信号に応じて選択することが可能な選択回路とを備えたことを特徴とする液晶表示装置のドット反転駆動回路が提供される。
かかる液晶表示装置のドット反転駆動回路によれば，例えば基準電圧レベルを複数の階調電圧信号の中間とすれば，１つのドライバセルは，複数の階調電圧信号の半数の階調電圧信号から一の階調電圧信号の選択を行えばよいことになるために，従来のドット反転駆動回路に対して，ドライバセルにかかる回路規模を半減させることが可能となる。したがって，従来のドット反転駆動回路に対して回路規模の低減が図られることとなる。
【００２１】
上記のドット反転駆動回路において，上記Ｎチャネルトランジスタは，エンハンスメント形Ｎチャネルトランジスタとデプレション形Ｎチャネルトランジスタとを含み，上記Ｐチャネルトランジスタは，エンハンスメント形Ｐチャネルトランジスタとデプレション形Ｐチャネルトランジスタとを含む構成としてもよい。
【発明の効果】
【００２３】
以上説明したように，本発明によれば，駆動回路を構成するドライバセル，特にデコーダの簡略化が実現されるために，従来の液晶表示装置の駆動回路に対して，回路規模の縮小化が可能となる。また，ドライバセルにかかる回路規模が半減されるために，液晶表示装置の駆動回路全体について大幅な回路削減が可能となる。さらに，デコーダを成すトランジスタの数の削減が図れるために，駆動回路の縮小化が達成される。
【発明を実施するための最良の形態】
【００２４】
以下に添付図面を参照しながら，本発明にかかる液晶表示装置の駆動回路の好適な実施の形態について詳細に説明する。なお，以下の説明および添付図面において，略同一の機能および構成を有する構成要素については，同一符号を付することにより重複説明を省略することにする。
【００２５】
（第１の実施の形態）
第１の実施の形態にかかるドット反転駆動回路１は，図１に示すように液晶表示装置の画素数に対応した数のドライバセル３−１〜３−ｎから構成されている。そして，各ドライバセル３−１〜３−ｎは，入力されるデータＤＴ−１〜ＤＴ−ｎによって出力電圧ＯＵＴ−１〜ＯＵＴ−ｎを出力する機能を有している。なお，各ドライバセル３−１〜３−ｎは，相互に略同一の構成を有しており，以下，各ドライバセル３−１を代表的に説明する。
【００２６】
ドライバセル３−１は，デコーダ５とアンプ７とから構成されている。デコーダ５は，ラスタ周期毎にデータＤＴ−１に基づいて，入力される階調電圧Ｖ１〜Ｖｎのいずれかを選択し，デコーダ出力Ｄｅｃｏｕｔとして出力する機能を有している。なお，ここでは階調電圧Ｖｎ＝Ｖ１２８である場合に即して説明する。
【００２７】
次に，デコーダ５の構成について説明する。このデコーダ５は，第１のデコーダ領域としてのＮチャネルデコーダ領域１１と第２のデコーダ領域としてのＰチャネルデコーダ領域１３とから構成されている。図２にＮチャネルデコーダ領域１１とＰチャネルデコーダ領域１３の詳細を示す。
【００２８】
Ｎチャネルデコーダ領域１１には，複数のエンハンスメント形Ｎチャネルトランジスタと複数のデプレション形Ｎチャネルトランジスタがマトリクス状に配置されている。そして，図２における行方向については，左右に配置されたトランジスタ相互のドレインとソースが接続され，列方向については，上下に配置されたトランジスタ相互のゲートが接続されている。同様に，Ｐチャネルデコーダ領域１３には，複数のエンハンスメント形Ｐチャネルトランジスタと複数のデプレション形Ｐチャネルトランジスタがマトリクス状に配置されている。そして，行方向については，左右に配置されたトランジスタ相互のドレインとソースが接続され，列方向については，上下に配置されたトランジスタ相互のゲートが接続されている。
【００２９】
Ｎチャネルデコーダ領域１１においてマトリクス状に配置された複数のＮチャネルトランジスタの各行は階調電圧Ｖ１〜Ｖ６４に対応しており，Ｐチャネルデコーダ領域１３においてマトリクス状に配置された複数のＰチャネルトランジスタの各行は階調電圧Ｖ６５〜Ｖ１２８に対応している。そして，トランジスタのゲートには列毎にデータＤＴ−１の各ビット（相補）Ｄ０，／Ｄ０〜Ｄ７，／Ｄ７が入力されるように構成されている。
【００３０】
また，Ｎチャネルデコーダ領域１１におけるエンハンスメント形Ｎチャネルトランジスタとデプレション形Ｎチャネルトランジスタは，データＤＴ−１の値の大小に従って階調電圧Ｖ１〜Ｖ６４のいずれかがデコーダ出力Ｄｅｃｏｕｔとして出力されるように配置されている。同様にＰチャネルデコーダ領域１３におけるエンハンスメント形Ｐチャネルトランジスタとデプレション形Ｐチャネルトランジスタは，データＤＴ−１の値の大小に従って階調電圧Ｖ６５〜Ｖ１２８のいずれかがデコーダ出力Ｄｅｃｏｕｔとして出力されるように配置されている。
【００３１】
そして，Ｎチャネルデコーダ領域１１における行方向のトランジスタの最終出力段には，エンハンスメント形Ｎチャネルトランジスタが配置されており，さらにＰチャネルデコーダ領域１３における行方向のトランジスタの最終出力段には，エンハンスメント形Ｐチャネルトランジスタが配置されている。そして，これらのエンハンスメント形のトランジスタは，全て選択信号ＳＥＬによって制御可能とされている。
【００３２】
ここで，図３，４を参照しながらＮチャネルトランジスタおよびＰチャネルトランジスタの動作を説明する。Ｎチャネルトランジスタ，Ｐチャネルトランジスタともに，ゲート−ソース間電圧Ｖｇｓが，０Ｖからスレショルド（ｔｈｒｅｓｈｏｌｄ）電圧Ｖｔの間にある場合は，オンすることはない。そして，ゲート−ソース間電圧Ｖｇｓがスレショルド電圧Ｖｔを上回ったところで各トランジスタはオンすることとなる。したがって，例えば階調電圧Ｖ１〜Ｖ６４に対してそれぞれ０〜２．４Ｖが割り付けられ，階調電圧Ｖ６５〜Ｖ１２８に対してそれぞれ２．６〜５．０Ｖが割り付けられた場合，図２に示すように，Ｎチャネルトランジスタのみで構成されるＮチャネルデコーダ領域１１は，階調電圧Ｖ１〜Ｖ６４から一の階調電圧を選択し，デコーダ出力Ｄｅｃｏｕｔとして出力可能であり，Ｐチャネルトランジスタのみで構成されるＰチャネルデコーダ領域１３は，階調電圧Ｖ６５〜Ｖ１２８から一の階調電圧を選択し，デコーダ出力Ｄｅｃｏｕｔとして出力可能である。
【００３３】
次に，第１の実施の形態にかかるドット反転駆動回路１の動作について図２，５を参照しながら説明する。なお，上述の通りドット反転駆動回路１は，複数のドライバセル３−１〜３−ｎから構成されており，これらの各ドライバセル３−１〜３−ｎは，相互に略同一の構成を有しているため，ここではドライバセルの３−１の動作を代表的に説明することとする。
【００３４】
所定のタイミングで例えばデータコード００がドライバセル３−１に入力された場合，すなわちデータＤＴ−１のＤ０〜Ｄ７が全て”０”であり／Ｄ０〜／Ｄ７が全て”１”の場合，図２に示すように，階調電圧Ｖ１に対応する全てのＮチャネルトランジスタおよび階調電圧Ｖ１２８に対応する全てのＰチャネルトランジスタがオンする。一方，階調電圧Ｖ２〜Ｖ１２７それぞれに対応するトランジスタの中の少なくとも１つはオフ状態にある。ここで，選択信号ＳＥＬをロウレベルとすることによって階調電圧Ｖ１２８がデコーダ出力Ｄｅｃｏｕｔとして出力される（図５のＡ点）。
【００３５】
次のラスタ周期においては，選択信号ＳＥＬをハイレベルとする。そして，データコードが変化せず００の場合は，階調電圧Ｖ１がデコーダ出力Ｄｅｃｏｕｔとして出力される（図５のＢ点）。
【００３６】
これに対して，データコードが変化した場合は，基準電圧Ｖｃよりも下側の階調電圧Ｖ２〜Ｖ６４の中からデータコードに対応する階調電圧が選択され，デコーダ出力Ｄｅｃｏｕｔとして出力される（図５のＣ点）。
【００３７】
さらに，次のラスタ周期においては，選択信号ＳＥＬを再びロウレベルとする。そして，データコードが変化した場合は，基準電圧Ｖｃよりも上側の階調電圧Ｖ６５〜Ｖ１２８の中からデータコードに対応する一の階調電圧が選択されデコーダ出力Ｄｅｃｏｕｔとして出力される（図５のＤ点）。
【００３８】
以上のように，第１の実施の形態にかかるドット反転駆動回路１は，選択信号ＳＥＬの信号レベルをラスタ周期毎に切り換えることによって，基準電圧Ｖｃの上側の階調電圧Ｖ６５〜Ｖ１２８のいずれかの電圧，および，下側の階調電圧Ｖ１〜Ｖ６４のいずれかの電圧を交互に出力するといったドット反転駆動方式に特徴的な動作が可能化されている。
【００３９】
さらに，ドット反転駆動回路１を構成するドライバセル３−１〜３−ｎにおいて，基準電圧Ｖｃの下側の階調電圧Ｖ１〜Ｖ６４は，ＮチャネルトランジスタのみからなるＮチャネルデコーダ領域１１によって選択され，上側の階調電圧Ｖ６５〜Ｖ１２８は，ＰチャネルトランジスタのみからなるＰチャネルデコーダ領域１３によって選択される。すなわち，従来のドット反転駆動回路を構成するドライバセル１２１に対して回路規模を半分することが可能であるため，第１の実施の形態にかかるドット反転駆動回路１は，従来に比してチップサイズの大幅な削減が図られることとなる。
【００４０】
（第２の実施の形態）
上述の第１の実施の形態にかかるドット反転駆動回路１におけるドライバセル３−１，３−２を図６に示すドライバセル２１−１，２１−２および選択回路としてのスイッチ回路３１，３３，３５，３７に置き換えることも可能である。以下，ドライバセル２１−１，２１−２およびスイッチ回路３１〜３７を備えた第２の実施の形態にかかるドット反転駆動回路について説明する。なお，第２の実施の形態にかかるドット反転駆動回路は，第１の実施の形態にかかるドット反転駆動回路１に対してドライバセル２１−１，２１−２およびスイッチ回路３１〜３７以外の構成要素を略同一としているために，ここではドライバセル２１−１，２１−２およびスイッチ回路３１〜３７のみの説明を行うこととする。
【００４１】
図６に示すように，ドライバセル２１−１は，デコーダ２３とアンプ２５とから構成され，ドライバセル２１−２は，デコーダ２７とアンプ２９とから構成されている。そして，デコーダ２３のデコーダ出力Ｄｅｃｏｕｔ−１を増幅するアンプ２５の出力にはスイッチ回路３１およびスイッチ回路３７が共通接続されており，デコーダ２７のデコーダ出力Ｄｅｃｏｕｔ−２を増幅するアンプ２９の出力にはスイッチ回路３３およびスイッチ回路３５が共通接続されている。また，スイッチ回路３１およびスイッチ回路３３の出力は共通化され出力電圧ＯＵＴ−１を出力するように構成され，同様にスイッチ３５およびスイッチ回路３７の出力は，共通化され，出力電圧ＯＵＴ−２を出力するように構成されている。そして，スイッチ回路３３，３５，３７，３９は，選択信号ＳＥＬによってオン／オフ制御が可能とされている。
【００４２】
次に，ドライバセル２１−１のデコーダ２３およびドライバセル２１−２のデコーダ２７の構成について説明する。
【００４３】
デコーダ２３は，Ｎチャネルデコーダ領域４１から構成され，階調電圧Ｖ１〜Ｖ６４およびデータＤＴ−１が入力されている。一方，デコーダ２７は，Ｐチャネルデコーダ領域４３から構成され，階調電圧Ｖ６５〜Ｖ１２８およびデータＤＴ−２が入力されている。
【００４４】
そして，Ｎチャネルデコーダ領域４１は，図７に示すように複数のエンハンスメント形Ｎチャネルトランジスタと複数のデプレション形Ｎチャネルトランジスタがマトリクス状に配置された構成を有している。そして，図７における行方向については，左右に配置されたトランジスタ相互のドレインとソースが接続され，列方向については，上下に配置されたトランジスタ相互のゲートが接続されている。同様に，Ｐチャネルデコーダ領域４３は，複数のエンハンスメント形Ｐチャネルトランジスタと複数のデプレション形Ｐチャネルトランジスタがマトリクス状に配置された構成を有している。そして，行方向については，左右に配置されたトランジスタ相互のドレインとソースが接続され，列方向については，上下に配置されたトランジスタ相互のゲートが接続されている。
【００４５】
Ｎチャネルデコーダ領域４１においてマトリクス状に配置された複数のＮチャネルトランジスタの各行は階調電圧Ｖ１〜Ｖ６４に対応している。また，Ｐチャネルデコーダ領域４３においてマトリクス状に配置された複数のＰチャネルトランジスタの各行は階調電圧Ｖ６５〜Ｖ１２８に対応している。そして，Ｎチャネルデコーダ領域４１におけるＮチャネルトランジスタのゲートには列毎にデータＤＴ−１の各ビットが入力されるように構成されている。同様に，Ｐチャネルデコーダ領域４３におけるＰチャネルトランジスタのゲートには列毎にデータＤＴ−２の各ビットが入力されるように構成されている。
【００４６】
また，Ｎチャネルデコーダ領域４１におけるエンハンスメント形Ｎチャネルトランジスタとデプレション形Ｎチャネルトランジスタは，データＤＴ−１の値の大小に応じて階調電圧Ｖ１〜Ｖ６４をデコーダ出力Ｄｅｃｏｕｔ−１として出力するように配置されている。同様にＰチャネルデコーダ領域４３におけるエンハンスメント形Ｐチャネルトランジスタとデプレション形Ｐチャネルトランジスタは，データＤＴ−２の値の大小に応じて階調電圧Ｖ６５〜Ｖ１２８をデコーダ出力Ｄｅｃｏｕｔ−２として出力するように配置されている。
【００４７】
次に，第２の実施の形態にかかるドット反転駆動回路の動作について説明する。まず，選択信号ＳＥＬによってスイッチ回路３１，３５をオン（短絡）させ，スイッチ回路３３，３７をオフ（開放）させる。そして，所定のタイミングでデータＤＴ−１がドライバセル２１−１に入力されると，ドライバセル２１−１は，階調電圧Ｖ１〜Ｖ６４の中から所定の階調電圧を選択し出力電圧ＯＵＴ−１として出力する。また，データＤＴ−２がドライバセル２１−２に入力されると，ドライバセル２１−２は，階調電圧Ｖ６５〜Ｖ１２８の中から所定の階調電圧を選択し出力電圧ＯＵＴ−２として出力する。
【００４８】
ところで，ドット反転駆動回路は，ラスタ周期毎に基準電圧Ｖｃの上側の階調電圧Ｖ６５〜Ｖ１２８の中のいずれかと下側の階調電圧Ｖ１〜Ｖ６４の中のいずれかを交互に出力する必要がある。したがって，上記のように階調電圧Ｖ１〜Ｖ６４のいずれかを出力電圧ＯＵＴ−１として出力させ，階調電圧Ｖ６５〜Ｖ１２８のいずれかを出力電圧ＯＵＴ−２として出力させた次のラスタ周期においては，選択信号ＳＥＬによってスイッチ回路３３，３７をオンさせ，スイッチ回路３１，３５をオフさせる。これによって，データＤＴ−１，ＤＴ−２が入力されると階調電圧Ｖ１〜Ｖ６４の中から所定の電圧が選択され出力電圧ＯＵＴ−２として出力され，階調電圧Ｖ６５〜Ｖ１２８の中から所定の電圧が選択され出力電圧ＯＵＴ−１として出力されることとなる。
【００４９】
以上のように，第２の実施の形態にかかるドット反転駆動回路によれば，一のドライバセルにおいて階調電圧Ｖ１〜Ｖ６４の選択を行い，他のドライバセルにおいて階調電圧Ｖ６５〜Ｖ１２８の選択を行い，さらに選択信号ＳＥＬによって選択された２つの階調電圧の出力先を切り換えることが可能とされる。したがって，第１の実施の形態にかかるドット反転駆動回路１に対して，第２の実施の形態にかかるドット反転駆動回路は，チップサイズを半減させることが可能とされている。
【００５０】
ところで，第２の実施の形態にかかるドット反転駆動回路のドライバセル２１−１，２１−２に備えられたアンプ２５，２９は，それぞれ階調電圧Ｖ１〜Ｖ６５および階調電圧Ｖ６５〜Ｖ１２８を増幅させるためのものである。これに対して，第１の実施の形態にかかるドット反転駆動回路１のドライバセル３−１〜３−ｎに備えられたアンプ７は，階調電圧Ｖ１〜Ｖ１２８が入力されるように構成されている。すなわち，第２の実施の形態におけるアンプ２５，２９は，第１の実施の形態におけるアンプ７に比べて入力電圧仕様を１／２とすることが可能である。したがって，アンプ２５，２９を構成する回路の簡略化が可能であり，コスト低減と動作精度の向上が図れることとなる。
【００５１】
（第３の実施の形態）
上述の第１の実施の形態にかかるドット反転駆動回路１におけるドライバセル３−１を図８に示すドライバセル５１に置き換えることも可能である。以下，ドライバセル５１を備えた第３の実施の形態にかかるドット反転駆動回路について説明する。なお，第３の実施の形態にかかるドット反転駆動回路は，第１の実施の形態にかかるドット反転駆動回路１に対してドライバセル５１以外の構成要素を略同一としているために，ここではドライバセル５１のみの説明を行うこととする。
【００５２】
図８に示すように，ドライバセル５１は，デコーダ５３とアンプ５５とから構成されている。そして，デコーダ５３は，第１の副デコーダ領域としての第１のＮチャネルデコーダ領域５７，第２の副デコーダ領域としての第２のＮチャネルデコーダ領域５９，第３の副デコーダ領域としての第１のＰチャネルデコーダ領域６１，および第４の副デコーダ領域としての第２のＰチャネルデコーダ領域６３から構成されている。第１のＮチャネルデコーダ領域５７には，階調電圧Ｖ１〜Ｖ６４が入力され，第１のＰチャネルデコーダ領域６１には，階調電圧Ｖ６５〜Ｖ１２８が入力されている。
【００５３】
そして，図９に示すように，第１，２のＮチャネルデコーダ領域５７，５９には，複数のエンハンスメント形Ｎチャネルトランジスタと複数のデプレション形Ｎチャネルトランジスタがマトリクス状に配置されており，第１，２のＰチャネルデコーダ領域６１，６３には，複数のエンハンスメント形Ｐチャネルトランジスタと複数のデプレション形Ｐチャネルトランジスタがマトリクス状に配置されている。そして，図９における行方向については，左右に配置されたトランジスタ相互のドレインとソースが接続され，列方向については，上下に配置されたトランジスタ相互のゲートが接続されている。なお，以下，データＤＴは，６ビットデータである場合に即して説明する。
【００５４】
第１のＮチャネルデコーダ領域５７においてマトリクス状に配置された複数のＮチャネルトランジスタの各行は階調電圧Ｖ１〜Ｖ６４に対応している。そして，第１のＮチャネルデコーダ領域５７におけるＮチャネルトランジスタのゲートには列毎にデータＤＴのうち下位のビット（相補）が入力されるように構成されている。すなわち，第１のＮチャネルデコーダ領域５７は，データＤＴの下位３ビットによって，階調電圧Ｖ１〜Ｖ６４のうち８種類の電圧を選択することが可能とされている。
【００５５】
一方，第２のＮチャネルデコーダ領域５９においてマトリクス状に配置されたＮチャネルトランジスタは，８段構造とされており，第１のＮチャネルデコーダ領域５７で選択された８種類の電圧は，それぞれの段に入力されるように構成されている。そして，第２のＮチャネルデコーダ領域５９におけるＮチャネルトランジスタのゲートには列毎にデータＤＴのうち上位のビット（相補）が入力されるように構成されている。すなわち，第２のＮチャネルデコーダ領域５９は，データＤＴの上位３ビットによって，第１のＮチャネルデコーダ領域５７からの８種類の電圧からさらに１種類の電圧を選択し，デコーダ出力Ｄｅｃｏｕｔとして出力することが可能とされている。
【００５６】
同様に，第１のＰチャネルデコーダ領域６１は，データＤＴの下位３ビットによって階調電圧Ｖ６５〜Ｖ１２８の中から８種類の電圧を選択し，さらに第２のＰチャネルデコーダ領域６３は，データＤＴの上位３ビットによって，８種類の電圧の中から１種類の電圧を選択しデコーダ出力Ｄｅｃｏｕｔとして出力することが可能とされている。
【００５７】
以上のように第３の実施の形態にかかるドット反転駆動回路におけるドライバセル５１は，データＤＴの上位３ビットによって制御されるデコーダと下位３ビットによって制御されるデコーダで構成されており，第１の実施の形態におけるデコーダ５に対して機能を維持しつつ，構成トランジスタの大幅な削減がなされている。したがって，このドライバセル５１によって構成される第３の実施の形態にかかるドット反転駆動回路は，第１の実施の形態にかかるドット反転駆動回路１と略同一の機能を備えるとともに，より一層のコンパクト化が図られることとなる。
【００５８】
（第４の実施の形態）
さらに，第１の実施の形態にかかるドット反転駆動回路１におけるドライバセル３−１，３−２を図１０に示すドライバセル７１−１，７１−２およびスイッチ回路３１，３３，３５，３７に置き換えることも可能である。以下，ドライバセル７１−１，７１−２およびスイッチ回路３１〜３７を備えた第４の実施の形態にかかるドット反転駆動回路について説明する。なお，第４の実施の形態にかかるドット反転駆動回路は，第１の実施の形態にかかるドット反転駆動回路１に対してドライバセル７１−１，７１−２およびスイッチ回路３１〜３７以外の構成要素を略同一としているために，ここではドライバセル７１−１，７１−２およびスイッチ回路３１〜３７のみの説明を行うこととする。
【００５９】
図１０に示すように，ドライバセル７１−１は，デコーダ７３とアンプ２５とから構成され，ドライバセル７１−２は，デコーダ７５とアンプ２９とから構成されている。そして，デコーダ７３のデコーダ出力Ｄｅｃｏｕｔ−１を増幅するアンプ２５の出力にはスイッチ回路３１およびスイッチ回路３７が共通接続されており，デコーダ７５のデコーダ出力Ｄｅｃｏｕｔ−２を増幅するアンプ２９の出力にはスイッチ回路３３およびスイッチ回路３５が共通接続されている。また，スイッチ回路３１およびスイッチ回路３３の出力は共通化され出力電圧ＯＵＴ−１を出力するように構成され，同様にスイッチ３５およびスイッチ回路３７の出力は，共通化され，出力電圧ＯＵＴ−２を出力するように構成されている。そして，スイッチ回路３３，３５，３７，３９は，選択信号ＳＥＬによってオン／オフ制御が可能とされている。
【００６０】
次に，デコーダ７３およびデコーダ７５の構成について説明する。デコーダ７３は，第１のＮチャネルデコーダ領域７７および第２のＮチャネルデコーダ領域７９から構成され，第１のＮチャネルデコーダ領域７７には階調電圧Ｖ１〜Ｖ６４およびデータＤＴ−１が入力されている。一方，デコーダ７５は，第１のＰチャネルデコーダ領域８１および第２のＰチャネルデコーダ領域８３から構成され，第１のＰチャネルデコーダ領域８１には階調電圧Ｖ６５〜Ｖ１２８およびデータＤＴ−２が入力されている。
【００６１】
そして，第１，２のＮチャネルデコーダ領域７７，７９は，図１１に示すように，複数のエンハンスメント形Ｎチャネルトランジスタと複数のデプレション形Ｎチャネルトランジスタがマトリクス状に配置された構成をなしており，第３の実施の形態における第１，２のＮチャネルデコーダ領域５７，５９と略同一の構成・機能を有している。また，第１，２のＰチャネルデコーダ領域８１，８３は，図１２に示すように，複数のエンハンスメント形Ｐチャネルトランジスタと複数のデプレション形Ｐチャネルトランジスタがマトリクス状に配置された構成をなしており，第３の実施の形態における第１，２のＰチャネルデコーダ領域６１，６３と略同一の構成・機能を有している。
【００６２】
以上のように，第４の実施の形態にかかるドット反転駆動回路によれば，第２の実施の形態にかかるドット反転駆動回路と同様に，一のドライバセルにおいて階調電圧Ｖ１〜Ｖ６４の選択を行い，他のドライバセルにおいて階調電圧Ｖ６５〜Ｖ１２８の選択を行い，さらに選択信号ＳＥＬによって選択された２つの階調電圧の出力先を切り換えることが可能となる。さらに，第４の実施の形態おけるデコーダ７３，７５は，第３の実施の形態おけるデコーダ５３の場合と同様に，第１の実施に形態におけるデコーダ５に対して構成トランジスタが削減されているにも関わらず同等の機能が維持されている。したがって，第４の実施の形態にかかるドット反転駆動回路は，第１，２，３の実施の形態にかかるドット反転駆動回路と略同一の機能を備えるとともに，従来のドット反転駆動回路に対して，より一層のコンパクト化が図られている。
【００６３】
以上，添付図面を参照しながら本発明の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００６４】
例えば，本発明の実施の形態においては，階調電圧Ｖ１〜Ｖ１２８の場合に即して説明したが，階調電圧の数はこれに限定されるものではない。
【００６５】
また，第３の実施の形態において，データＤＴを６ビットとして説明したが，本発明においてデータＤＴのビット数は，これに限定されない。
【００６６】
さらに，第３，４の実施の形態のデコーダ５３，７３，７５において，Ｎチャネルデコーダ領域およびＰチャネルデコーダ領域を２分割した場合に即して説明したが，各領域を３つ以上に分割し，構成トランジスタの数を削減することも可能である。
【００６７】
以上説明したように，本発明によれば，駆動回路を構成するドライバセル，特にデコーダの簡略化が実現されるために，従来の液晶表示装置の駆動回路に対して，回路規模の縮小化が可能となる。また，ドライバセルにかかる回路規模が半減されるために，液晶表示装置の駆動回路全体について大幅な回路削減が可能となる。さらに，デコーダを成すトランジスタの数の削減が図れるために，駆動回路の縮小化が達成される。
【図面の簡単な説明】
【００６８】
【図１】本発明の第１の実施の形態にかかるドット反転駆動回路の構成を示すブロック図である。
【図２】図１のドット反転駆動回路におけるデコーダの内容を示す回路図である。
【図３】Ｎチャネルトランジスタの動作を説明する特性曲線図である。
【図４】Ｐチャネルトランジスタの動作を説明する特性曲線図である。
【図５】図１のドット反転駆動回路の動作を説明する特性曲線図である。
【図６】第２の実施の形態にかかるドット反転駆動回路におけるドライバセルの構成を示すブロック図である。
【図７】図６のドライバセルにおけるデコーダの内容を示す回路図である。
【図８】第３の実施の形態にかかるドット反転駆動回路におけるドライバセルの構成を示すブロック図である。
【図９】図８のドライバセルにおけるデコーダの内容を示す回路図である。
【図１０】第４の実施の形態にかかるドット反転駆動回路におけるドライバセルの構成を示すブロック図である。
【図１１】図１０の一のドライバセルにおけるデコーダの内容を示す回路図である。
【図１２】図１０の他のドライバセルにおけるデコーダの内容を示す回路図である。
【図１３】ライン反転駆動回路の構成を示すブロック図である。
【図１４】図１３のライン反転駆動回路におけるデコーダの内容を示す回路図である。
【図１５】図１３のライン反転駆動回路の動作を示す特性曲線図である。
【図１６】従来のドット反転駆動回路の構成を示すブロック図である。
【図１７】図１６のドット反転駆動回路の動作を示す特性曲線図である。
【符号の説明】
【００６９】
１    ドット反転駆動回路
３−１〜３−ｎ    ドライバセル
５    デコーダ
１１    Ｎチャネルデコーダ領域
１３    Ｐチャネルデコーダ領域
５７    第１のＮチャネルデコーダ領域
５９    第２のＮチャネルデコーダ領域
６１    第１のＰチャネルデコーダ領域
６３    第２のＰチャネルデコーダ領域
ＳＥＬ    選択信号
Ｖ１〜Ｖ１２８    階調電圧
Ｖｃ    基準電圧
【図１】
0004611948.tif 000002
【図２】
0004611948.tif 000003
【図３】
0004611948.tif 000004
【図４】
0004611948.tif 000005
【図５】
0004611948.tif 000006
【図６】
0004611948.tif 000007
【図７】
0004611948.tif 000008
【図８】
0004611948.tif 000009
【図９】
0004611948.tif 000010
【図１０】
0004611948.tif 000011
【図１１】
0004611948.tif 000012
【図１２】
0004611948.tif 000013
【図１３】
0004611948.tif 000014
【図１４】
0004611948.tif 000015
【図１５】
0004611948.tif 000016
【図１６】
0004611948.tif 000017
【図１７】
0004611948.tif 000018